(57)【要約】      （修正有）【課題】装着状態で、被測定部位に巻き付けられた帯状体と、血圧測定結果を表示するための表示器とが一体化して見えて、見栄えが良い血圧測定用カフを提供する。【解決手段】血圧測定用カフを含む血圧計１は、棒状の被測定部位９０を周方向に沿って一方向に巻き付けて装着されるべき帯状体１１と、血圧測定結果を表示するための表示器５０とを備える。表示器は、装着された状態で、帯状体の長手方向Ｘに関して被測定部位を取り巻く１周目の部分２０Ｅと２周目の部分２０Ｆとが重なる領域Ｘ１に、厚さ方向に関して１周目の部分と２周目の部分とに挟まれるように配置されている。帯状体の２周目の部分のうち少なくとも表示器に対向する領域が、光を透過する光透過領域になっている。【選択図】図２
2018007893.tif 000002
【特許請求の範囲】
【請求項１】
棒状の被測定部位を周方向に沿って一方向に巻き付けて装着されるべき帯状体と、
血圧測定結果を表示するための表示器とを備え、
上記表示器は、上記被測定部位に対して上記帯状体が装着された状態で、上記帯状体の長手方向に関して上記被測定部位を取り巻く１周目の部分と２周目の部分とが重なる領域に、厚さ方向に関して上記１周目の部分と上記２周目の部分とに挟まれるように配置されており、
上記帯状体の上記２周目の部分のうち少なくとも上記表示器に対向する領域が、光を透過する光透過領域になっていることを特徴とする血圧測定用カフ。
【請求項２】
請求項１に記載の血圧測定用カフにおいて、
上記光透過領域は透明材料層が設けられた光透過窓であることを特徴とする血圧測定用カフ。
【請求項３】
請求項１または２に記載の血圧測定用カフにおいて、
上記帯状体の上記２周目の部分のうち、上記長手方向に関して上記光透過領域よりも外周端に近い領域の内面に、上記１周目の部分の外面と係合する面ファスナが設けられていることを特徴とする血圧測定用カフ。
【請求項４】
棒状の被測定部位を周方向に沿って一方向に巻き付けて装着されるべき帯状体を有するカフと、
血圧測定結果を表示するための表示器を搭載した本体とを備え、
上記本体は、上記被測定部位に対して上記帯状体が装着された状態で、上記帯状体の長手方向に関して上記被測定部位を取り巻く１周目の部分と２周目の部分とが重なる領域に、上記１周目の部分と上記２周目の部分とに挟まれるように配置されており、
上記帯状体の上記２周目の部分のうち、少なくとも上記本体の上記表示器に対向する領域が、光を透過する光透過領域になっていることを特徴とする血圧計。
【請求項５】
請求項４に記載の血圧計において、
上記帯状体は、上記被測定部位に接すべき内布とこの内布に対向する外布との間に流体袋を内包しており、
上記本体は、ポンプを含む血圧測定のための要素を搭載し、上記帯状体の上記１周目の部分の外布に取り付けられ、上記外布を貫通するストレートの配管を通して上記流体袋と流体流通可能に連結されていることを特徴とする血圧計。
【発明の詳細な説明】
【技術分野】
【０００１】
この発明は血圧測定用カフに関し、より詳しくは、上腕、手首などの棒状の被測定部位に巻き付けて装着される帯状体と、血圧測定結果を表示するための表示器とを含む血圧測定用カフに関する。
【０００２】
また、この発明は、上腕、手首などの棒状の被測定部位に巻き付けて装着される帯状体を有するカフと、血圧測定結果を表示するための表示器を搭載した本体とを含む血圧計に関する。
【背景技術】
【０００３】
従来、例えば非特許文献１（“ワイヤレス血圧計（ＢＰ５）クイックスタートガイド（Wireless Blood Pressure Monitor (BP5) QUICK START GUIDE）”、［online］、［平成２８年６月２９日検索］、インターネット＜ URL ：https://ihealthlabs.com/files/1414/0192/1699/wireless_bloodpressure_QSG.pdf＞）に開示されているように、上腕に巻き付けて装着される血圧測定用カフと、そのカフの外面に一体に取り付けられた本体（血圧測定のための要素を搭載している）とを備えた血圧計が知られている。
【先行技術文献】
【非特許文献】
【０００４】
【非特許文献１】“ワイヤレス血圧計（ＢＰ５）クイックスタートガイド（Wireless Blood Pressure Monitor (BP5) QUICK START GUIDE）”、［online］、［平成２８年６月２９日検索］、インターネット＜ URL ：https://ihealthlabs.com/files/1414/0192/1699/wireless_bloodpressure_QSG.pdf＞
【発明の概要】
【発明が解決しようとする課題】
【０００５】
ここで、上記従来の血圧計では、上腕に対してカフを一方向に（上腕の長手方向に沿って見た断面視で渦巻き状に）巻き付けたときに、カフの外周端（カフの筒の外側となる端部）が本体に到達せず、本体を覆わない構成になっている。このため、カフに対して本体が浮き上がって見えて、見栄えが良くないという問題がある。
【０００６】
そこで、この発明の課題は、被測定部位に対する装着状態（適宜、単に「装着状態」という。）で、被測定部位に巻き付けられた帯状体と、血圧測定結果を表示するための表示器とが一体化して見えて、見栄えが良い血圧測定用カフを提供することにある。
【０００７】
また、この発明の課題は、装着状態で、被測定部位に巻き付けられたカフと、血圧測定結果を表示するための表示器を搭載した本体とが一体化して見えて、見栄えが良い血圧計を提供することにある。
【課題を解決するための手段】
【０００８】
上記課題を解決するため、この発明の血圧測定用カフは、
棒状の被測定部位を周方向に沿って一方向に巻き付けて装着されるべき帯状体と、
血圧測定結果を表示するための表示器とを備え、
上記表示器は、上記被測定部位に対して上記帯状体が装着された状態で、上記帯状体の長手方向に関して上記被測定部位を取り巻く１周目の部分と２周目の部分とが重なる領域に、厚さ方向に関して上記１周目の部分と上記２周目の部分とに挟まれるように配置されており、
上記帯状体の上記２周目の部分のうち少なくとも上記表示器に対向する領域が、光を透過する光透過領域になっていることを特徴とする。
【０００９】
本明細書で、「被測定部位」とは、被測定者の血圧を測定するために、手首、上腕等のカフで取り巻くことが可能な部位を指す。
【００１０】
帯状体の「長手方向」とは、装着状態で、被測定部位の周方向に沿う方向を意味する。
【００１１】
この発明の血圧測定用カフでは、帯状体が、棒状の被測定部位を周方向に沿って一方向に（被測定部位の長手方向に沿って見た断面視で渦巻き状に）巻き付けて装着される。装着状態では、表示器は、上記帯状体の長手方向に関して上記被測定部位を取り巻く１周目の部分と２周目の部分とが重なる領域に、厚さ方向に関して上記１周目の部分と上記２周目の部分とに挟まれるように配置されている。ここで、上記帯状体の上記２周目の部分のうち少なくとも上記表示器に対向する領域が、光を透過する光透過領域になっている。したがって、ユーザ（被験者を含む。）は、この血圧測定用カフの外部から、上記光透過領域を通して、上記表示器に表示された血圧測定結果を見ることができる。
【００１２】
また、上述のように、装着状態では、表示器は、上記帯状体の長手方向に関して上記被測定部位を取り巻く１周目の部分と２周目の部分とが重なる領域に、厚さ方向に関して上記１周目の部分と上記２周目の部分とに挟まれるように配置されている。したがって、この血圧測定用カフによれば、被測定部位に巻き付けられた帯状体と、血圧測定結果を表示するための表示器とが一体化して見えて、見栄えが良くなる。
【００１３】
一実施形態の血圧測定用カフでは、上記光透過領域は透明材料層が設けられた光透過窓であることを特徴とする。
【００１４】
この一実施形態の血圧測定用カフでは、上記光透過領域は透明材料層が設けられた光透過窓である。したがって、装着状態では、上記光透過窓の上記透明材料層によって、上記表示器が覆われる。この結果、上記帯状体と上記表示器とがさらに一体化して見えて、さらに見栄えが良くなる。
【００１５】
一実施形態の血圧測定用カフでは、上記帯状体の上記２周目の部分のうち、上記長手方向に関して上記光透過領域よりも外周端に近い領域の内面に、上記１周目の部分の外面と係合する面ファスナが設けられていることを特徴とする。
【００１６】
上記帯状体の「外周端」とは、被測定部位に対して上記帯状体が一方向に（被測定部位の長手方向に沿って見た断面視で渦巻き状に）巻き付けられたときに、上記帯状体の筒の外側となる端部を指す。
【００１７】
また、上記帯状体の「内面」、「外面」とは、被測定部位に対して上記帯状体が一方向に（被測定部位の長手方向に沿って見た断面視で渦巻き状に）巻き付けられたときに、それぞれ上記帯状体の筒の内側、外側を向く面を指す。上記帯状体が内布、外布を有する場合は、「内面」、「外面」はそれぞれ内布、外布の表面（露出している側の面）を指す。
【００１８】
この一実施形態の血圧測定用カフでは、装着状態では、上記帯状体の上記２周目の部分のうち、上記長手方向に関して上記光透過領域よりも外周端に近い領域の内面に設けられた面ファスナが、上記１周目の部分の外面と係合する。これにより、この血圧測定用カフが全体として綺麗な筒状に固定される。言い換えれば、装着状態では、上記帯状体の外周端近傍の部分がぶらぶら揺れない。したがって、さらに見栄えが良くなる。
【００１９】
別の局面では、この発明の血圧計は、
棒状の被測定部位を周方向に沿って一方向に巻き付けて装着されるべき帯状体を有するカフと、
血圧測定結果を表示するための表示器を搭載した本体とを備え、
上記本体は、上記被測定部位に対して上記帯状体が装着された状態で、上記帯状体の長手方向に関して上記被測定部位を取り巻く１周目の部分と２周目の部分とが重なる領域に、上記１周目の部分と上記２周目の部分とに挟まれるように配置されており、
上記帯状体の上記２周目の部分のうち、少なくとも上記本体の上記表示器に対向する領域が、光を透過する光透過領域になっていることを特徴とする。
【００２０】
この発明の血圧計では、上記カフの帯状体が、棒状の被測定部位を周方向に沿って一方向に（被測定部位の長手方向に沿って見た断面視で渦巻き状に）巻き付けて装着される。装着状態では、表示器は、上記帯状体の長手方向に関して上記被測定部位を取り巻く１周目の部分と２周目の部分とが重なる領域に、厚さ方向に関して上記１周目の部分と上記２周目の部分とに挟まれるように配置されている。ここで、上記帯状体の上記２周目の部分のうち少なくとも上記表示器に対向する領域が、光を透過する光透過領域になっている。したがって、ユーザ（被験者を含む。）は、この血圧計の外部から、上記光透過領域を通して、上記表示器に表示された血圧測定結果を見ることができる。
【００２１】
また、上述のように、装着状態では、表示器は、上記帯状体の長手方向に関して上記被測定部位を取り巻く１周目の部分と２周目の部分とが重なる領域に、厚さ方向に関して上記１周目の部分と上記２周目の部分とに挟まれるように配置されている。したがって、この血圧計によれば、被測定部位に巻き付けられたカフ（帯状体）と、血圧測定結果を表示するための表示器とが一体化して見えて、見栄えが良い。
【００２２】
一実施形態の血圧計では、
上記帯状体は、上記被測定部位に接すべき内布とこの内布に対向する外布との間に流体袋を内包しており、
上記本体は、ポンプを含む血圧測定のための要素を搭載し、上記帯状体の上記１周目の部分の外布に取り付けられ、上記外布を貫通するストレートの配管を通して上記流体袋と流体流通可能に連結されていることを特徴とする。
【００２３】
帯状体が「流体袋を内包」するとは、流体袋の実体部分、すなわち流体室が、帯状体に内包されていることを意味する。
【００２４】
また、「内布」および「外布」は、布だけではなく、一層あるいは複数層の樹脂からなっていても良い。一般に、被測定部位を圧迫するために、内布は伸縮性が大きく、外布は実質的に非伸縮性（または内布に比して伸縮性が小さく）に設定される。
【００２５】
また、「血圧測定のための要素」とは、上記カフ（流体袋）に空気を供給するためのポンプ、このポンプを駆動するための制御を行う制御部などを指す。
【００２６】
この一実施形態の血圧計では、上記本体は、上記帯状体の上記１周目の部分の外布に取り付けられ、上記外布を貫通するストレートの配管を通して、上記流体袋と流体流通可能に連結されている。したがって、例えば、上記本体から、上記ポンプを含む血圧測定のための要素によって、上記配管を通して上記流体袋に流体が供給されることによって、被測定部位が圧迫され得る。また、上記流体袋から、上記配管を通して上記本体へ排気されることによって、被測定部位の圧迫が解除される。この構成によれば、血圧計（カフと本体）の外部に、空気を通すチューブなどが露出するのを避け得る。そのようにした場合、さらに見栄えが良くなる。
【発明の効果】
【００２７】
以上より明らかなように、この発明の血圧測定用カフによれば、装着状態で、被測定部位に巻き付けられた帯状体と、血圧測定結果を表示するための表示器とが一体化して見えて、見栄えが良くなる。
【００２８】
また、この発明の血圧計によれば、装着状態で、被測定部位に巻き付けられたカフと、血圧測定結果を表示するための表示器を搭載した本体とが一体化して見えて、見栄えが良くなる。
【図面の簡単な説明】
【００２９】
【図１】この発明の一実施形態の血圧測定用カフを含む血圧計について、カフを展開した状態で、本体が設けられた側から見たところを示す図である。
【図２】被測定部位としての上腕に上記血圧計が装着された状態を、上腕の長手方向に沿って見た断面視で示す図である。
【図３】上記血圧計の概略的なブロック構成を示す図である。
【図４】上記血圧計の動作フローを示す図である。
【図５】上記血圧計の本体とカフとを連結するための本体側の要素を示す図である。
【図６】上記血圧計の本体とカフとを連結するためのカフ側の要素を示す図である。
【図７】上記カフの光透過窓を通して上記本体に搭載された表示器を見たところを示す図である。
【発明を実施するための形態】
【００３０】
以下、この発明の実施の形態を、図面を参照しながら詳細に説明する。
【００３１】
図１は、この発明の一実施形態の血圧測定用カフを含む血圧計（全体を符号１で示す。）の外観を示している。この血圧計１は、大別して、棒状の被測定部位に巻き付けられる血圧測定用カフ２０と、このカフ２０に一体に取り付けられ、血圧測定のための要素を内蔵した本体１０とを有している。なお、図１は、血圧計１を、カフ２０を展開した状態で本体１０が設けられた側（図２における外周側に相当）から見たときの平面レイアウトを示している。図２は、被測定部位としての上腕９０に血圧計１（カフ２０）が装着された状態を、上腕９０の長手方向に沿って見た断面視で示している。また、図１中には、理解の容易のために、ＸＹＺ直交座標系を併せて示している。Ｘ方向は、カフ２０の長手方向であり、図２におけるカフ２０の筒の周方向に相当する。Ｙ方向は、カフ２０の幅方向（被測定部位としての上腕９０の長手方向に相当）に相当する。Ｚ方向は、カフ２０の厚さ方向に相当する。
【００３２】
図２によって良く分かるように、カフ２０は、外布２０Ａと内布２０Ｂとをそれらの周縁に沿って縫製して袋状の帯状体１１として形成されている。帯状体１１は、上腕９０に接すべき内布２０Ｂとこの内布２０Ｂに対向する外布２０Ａとの間に、膨張可能な材料からなる流体袋２２を内包している。被測定部位を圧迫し易いように、内布２０Ｂは伸縮性が大きく、外布２０Ａは実質的に非伸縮性（または内布２０Ｂに比して伸縮性が小さく）に設定されている。このカフ２０（帯状体１１）は、棒状の上腕９０を周方向（Ｘ方向）に沿って一方向に（図２の断面視で渦巻き状に）巻き付けて装着される。
【００３３】
図１によって良く分かるように、カフ２０は、長手方向（Ｘ方向）に関して、上腕９０を取り巻くべき１周目の部分２０Ｅと、この１周目の部分２０Ｅに重なるべき２周目の部分２０Ｆとを有している。上腕９０にカフ２０が巻き付けられた装着状態（図２参照）では、長手方向（Ｘ方向）に関して、１周目の部分２０Ｅのうちの内周端２０ｅ側の領域Ｘ１に、２周目の部分２０Ｆが重なる。ここで、内周端２０ｅは、装着状態で、カフ２０の筒の内側となる端部を指す。後述の外周端２０ｆは、装着状態で、カフ２０の筒の外側となる端部を指す。
【００３４】
図１によって良く分かるように、長手方向（Ｘ方向）に関して、流体袋２２は、カフ２０の１周目の部分２０Ｅのうちの大部分の領域を占めている。本体１０は、カフ２０の１周目の部分２０Ｅのうちの領域Ｘ１に、流体袋２２に対向する態様で、外布２０Ａに取り付けられている。
【００３５】
具体的には、図５に示すように、本体１０のカフ２０に対向する面（図２における下面）には、カフ２０の流体袋２２と連通するための円筒状のストレートのエア配管１０Ａ，１０Ｂが設けられるとともに、本体１０をカフ２０に連結するための穴１０Ｘ，１０Ｙ，１０Ｚが形成されている。一方、図６に示すように、カフ２０の外布２０Ａに設けられた開口を貫通して、流体袋２２に連通した円筒状のストレートのニップル配管２２Ａ，２２Ｂが突出するとともに、外布２０Ａからフック４０Ｘ，４０Ｙ，４０Ｚが突出している。
【００３６】
本体１０とカフ２０とを連結する際には、本体１０の穴１０Ｘ，１０Ｙ，１０Ｚにフック４０Ｘ，４０Ｙ，４０Ｚがそれぞれ位置合わせして係合される。それとともに、本体１０のエア配管１０Ａ，１０Ｂが流体袋２２に連通したニップル配管２２Ａ，２２Ｂに気密に嵌合される。このようにして、本体１０とカフ２０（流体袋２２）とが流体流通可能に連結されて、一体化されている。
【００３７】
本体１０の外面（図２における上面）には、血圧測定結果を表示するための矩形状の表示器５０が設けられている。また、この例では、本体１０の側面（図１における−Ｙ側の側面）に、操作部５２が設けられている。
【００３８】
図１に示すように、カフ２０の長手方向（Ｘ方向）に関して、カフ２０の２周目の部分２０Ｆには、装着状態（図２参照）で少なくとも表示器５０に対向する領域が、光透過領域としての、透明材料層６０ａが設けられた矩形状の光透過窓６０になっている。この例では、透明材料層６０ａは、ポリプロピレン（ＰＰ）、ポリオレフィン（ＰＯ）、その他の透明で柔軟なプラスチック材料からなっている。透明材料層６０ａの周縁部は、光透過窓６０の内縁に対して、溶着または接着によって取り付けられている。この構成により、光透過窓６０は、光を透過可能になっている。
【００３９】
図１に示すように、カフ２０の長手方向（Ｘ方向）に関して、本体１０のＸ方向寸法Ｌ２は、表示器５０のＸ方向寸法Ｌ１よりも大きく設定されている。さらに、光透過窓６０のＸ方向寸法Ｌ３は、本体１０のＸ方向寸法Ｌ２よりも十分大きく設定されている。すなわち、Ｌ１＜Ｌ２＜Ｌ３に設定されている。なお、図１中には、装着状態で、光透過窓６０に対向する表示器５０の範囲を破線（便宜上、符号Ｌ１で示す。）で表している。このように、Ｌ１＜Ｌ３に設定されているので、仮に被験者が変わって被測定部位としての上腕９０の周囲長が変化したとしても、装着状態で、表示器５０が長手方向（Ｘ方向）に関して光透過窓６０から外れるのを防止できる。
【００４０】
また、カフ２０の幅方向（Ｙ方向）に関して、光透過窓６０のＹ方向寸法Ｗ３は、本体１０のＹ方向寸法Ｗ２よりも小さく、かつ、表示器５０のＹ方向寸法Ｗ１よりも大きく設定されている。このように、Ｗ１＜Ｗ３に設定されているので、装着状態で、表示器５０が幅方向（Ｙ方向）に関して光透過窓６０から外れるのを防止できる。
【００４１】
図１および図２によって分かるように、カフ２０の２周目の部分２０Ｆのうち、長手方向（Ｘ方向）に関して光透過窓６０よりも外周端２０ｆに近い領域の内布２０Ｂの表面（カフの内面として露出している面）に、１周目の部分２０Ｅの外布２０Ａの表面（カフの外面として露出している面）と係合する面ファスナ７０が取り付けられている。この例では、面ファスナ７０は、その表面に図示しない多数の微細なフックを有している。外布２０Ａの表面は、上記フックと係合する図示しない多数の微細なループを有している。図２の装着状態では、面ファスナ７０が、１周目の部分２０Ｅの外布２０Ａの表面と係合する。これにより、カフ２０が全体として綺麗な筒状に固定される。言い換えれば、装着状態では、カフ２０の外周端２０ｆ近傍の部分がぶらぶら揺れない。したがって、見栄えが良い。
【００４２】
図３は、血圧計１のカフ２０と本体１０の概略的なブロック構成を示している。本体１０は、既述の表示器５０、操作部５２に加えて、血圧測定のための要素として、制御部としてのＣＰＵ（Central Processing Unit）１００、記憶部としてのメモリ５１、電源部５３、ポンプ３２、弁３３、および圧力センサ３１を搭載している。さらに、本体１０は、圧力センサ３１からの出力を周波数に変換する発振回路３１０、ポンプ３２を駆動するポンプ駆動回路３２０、弁３３を駆動する弁駆動回路３３０を搭載している。
【００４３】
上記表示器５０は、ディスプレイおよびインジケータ等を含み、ＣＰＵ１００からの制御信号に従って所定の情報を表示する。
【００４４】
上記操作部５２は、電源部５３をＯＮ（オン）またはＯＦＦ（オフ）するための指示の入力を受け付ける電源スイッチ５２Ａと、血圧の測定開始の指示を受け付けるための測定スイッチ５２Ｂとを有する。これらのスイッチ５２Ａ，５２Ｂは、ユーザによる指示に応じた操作信号をＣＰＵ１００に入力する。
【００４５】
上記メモリ５１は、血圧計１を制御するためのプログラムのデータ、血圧計１を制御するために用いられるデータ、血圧計１の各種機能を設定するための設定データ、および血圧値の測定結果のデータなどを記憶する。また、メモリ５１は、プログラムが実行されるときのワークメモリなどとして用いられる。
【００４６】
上記ＣＰＵ１００は、メモリ５１に記憶された血圧計１を制御するためのプログラムに従って、操作部５２からの操作信号に応じて、ポンプ３２や弁３３を駆動する制御を行う。また、ＣＰＵ１００は、圧力センサ３１からの信号に基づいて、血圧値を算出し、表示器５０およびメモリ５１を制御する。
【００４７】
上記電源部５３は、この例では充電可能な２次電池からなり、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００４８】
上記ポンプ３２は、カフ２０に内包された流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００４９】
上記圧力センサ３１と発振回路３１０は、カフの圧力を検出する圧力検出部として働く。圧力センサ３１（例えば、ピエゾ抵抗式圧力センサ）はエア配管１０Ａを介して、ポンプ３２および弁３３はエア配管１０Ｂを介して、それぞれカフ２０に内包されている流体袋２２に接続されている。この例では、発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００５０】
この血圧計１では、ＣＰＵ１００によって、図４のフローに従ってオシロメトリック法により被験者の血圧値が測定される。なお、血圧計１（カフ２０）は、図２に示したように、被測定部位としての上腕９０に装着されているものとする。
【００５１】
具体的には、電源スイッチ５２ＡがＯＮされた状態で測定スイッチ５２Ｂが押されると、図４に示すように、血圧計１は血圧測定を開始する。血圧測定開始に際して、ＣＰＵ１００は、処理用メモリ領域を初期化し、弁駆動回路３３０に制御信号を出力する。弁駆動回路３３０は、制御信号に基づいて、弁３３を開放してカフ２０の流体袋２２内の空気を排気する。続いて、圧力センサ３１の０ｍｍＨｇの調整を行う制御を行う。
【００５２】
血圧測定を開始すると、まず、ＣＰＵ１００は、弁駆動回路３３０を介して弁３３を閉鎖し、その後、ポンプ駆動回路３２０を介してポンプ３２を駆動して、配管１０Ｂ，２２Ｂを通して流体袋２２に空気を送る制御を行う。これにより、流体袋２２を膨張させるとともにカフ圧を徐々に加圧していく（ステップＳＴ１０１）。
【００５３】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２２から配管１０Ｂ，２２Ｂを通して排気して、流体袋２２を収縮させるとともにカフ圧を徐々に減圧していく（ステップＳＴ１０３）。
【００５４】
ここで、所定の圧力とは、被験者の収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照）。
【００５５】
また、減圧速度については、カフの加圧中に目標となる目標減圧速度を設定し、その目標減圧速度になるようにＣＰＵ１００が弁３３の開口度を制御する（同公報参照）。
【００５６】
上記減圧過程において、カフ２０から配管１０Ａ，２２Ａを通して、カフ２０の圧力を表すカフ圧信号（符号Ｐｃで表す。）を圧力センサ３１が検出する。ＣＰＵ１００は、このカフ圧信号Ｐｃに基づいて、オシロメトリック法により後述のアルゴリズムを適用して血圧値（収縮期血圧と拡張期血圧）を算出する（ステップＳＴ１０４）。なお、血圧値の算出は、減圧過程に限らず、加圧過程において行われてもよい。
【００５７】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【００５８】
測定が終了すると、ＣＰＵ１００は、弁駆動回路３３０を介して弁３３を開放し、カフ２０の流体袋２２内の空気を排気する制御を行う（ステップＳＴ１０８）。
【００５９】
図２の装着状態では、表示器５０およびそれを搭載した本体１０は、カフ２０の長手方向（Ｘ方向）に関して上腕９０を取り巻く１周目の部分２０Ｅと２周目の部分２０Ｆとが重なる領域Ｘ１に、厚さ方向（Ｚ方向）に関して１周目の部分２０Ｅと２周目の部分２０Ｆとに挟まれるように配置されている。この例では、カフ２０の２周目の部分２０Ｆのうち表示器５０に対向する領域が、光を透過する光透過領域としての光透過窓６０になっている。したがって、図７に示すように、ユーザ（被験者を含む。）は、このカフ２０の外部から、光透過窓６０の透明材料層６０ａを通して、表示器５０に表示された血圧測定結果を見ることができる。この図７の例では、最高血圧（収縮期血圧）が１３０ｍｍＨｇ、最低血圧（拡張期血圧）が８０ｍｍＨｇであったことが分かる。
【００６０】
また、上述の図２に示したように、装着状態では、表示器５０は、カフ２０の長手方向（Ｘ方向）に関して上腕９０を取り巻く１周目の部分２０Ｅと２周目の部分２０Ｆとが重なる領域Ｘ１に、厚さ方向（Ｚ方向）に関して１周目の部分２０Ｅと２周目の部分２０Ｆとに挟まれるように配置されている。しかも、この例では、図７に示すように、光透過窓６０の透明材料層６０ａによって、表示器５０が覆われている。したがって、この血圧計１によれば、上腕９０に巻き付けられたカフ２０と、血圧測定結果を表示するための表示器５０とが一体化して見えて、見栄えが良くなる。
【００６１】
また、既述のように、この血圧計１では、本体１０は、カフ２０の１周目の部分２０Ｅの外布２０Ａに取り付けられ、外布２０Ａを貫通するストレートの配管１０Ａ，２２Ａ；１０Ｂ，２２Ｂによって、流体袋２２と流体流通可能に連結されている。この構成によれば、血圧計１（カフ２０と本体１０）の外部に、空気を通すチューブなどが露出するのを避け得る。したがって、さらに見栄えが良くなる。
【００６２】
ただし、表示器５０のみがカフ２０に配置され、血圧測定のための要素を含む本体１０は、カフ２０から離れて、細長いチューブ等を介してカフ２０に連結されている態様であってもよい。
【００６３】
上述の実施形態では、光透過領域は透明材料層６０ａが設けられた光透過窓６０であるものとしたが、これに限られるものではない。光透過領域は、編目（メッシュ）を有する繊維素材が設けられた窓、または、単なる開口からなっていてもよい。この場合も、外部から光透過領域を通して、表示器５０に表示された血圧測定結果を見ることができる。しかも、上腕９０に巻き付けられたカフ２０と、血圧測定結果を表示するための表示器５０とが一体化して見えて、見栄えが良くなる。
【００６４】
また、光透過領域は、窓または開口に限られるものではない。例えば、カフ２０の２周目の部分２０Ｆの全領域が透明材料からなっていてもよい。
【００６５】
上述の実施形態では、装着状態で、カフ２０は１周目の部分２０Ｅと２周目の部分２０Ｆとが重なる態様、つまり、２重であるものとしたが、これに限られるものではない。装着状態で、カフ（帯状体）は３重以上の周回層を含んで多重に渦巻き状に巻き付けられてもよい。その場合、表示器５０は、厚さ方向に関して、帯状体の或る周回層とその外側に隣り合う周回層とが重なる隙間に配置されるものとする。そして、表示器５０よりも外側の周回層のうち少なくとも表示器５０に対応する部分が、透明であるものとする。このようにした場合も、表示器５０に表示された血圧測定結果を外部から見ることができる。しかも、被測定部位に巻き付けられたカフと、血圧測定結果を表示するための表示器５０とが一体化して見えて、見栄えが良くなる。
【００６６】
上述の実施形態では、被測定部位は上腕９０であるものとしたが、これに限られるものではない。被測定部位は手首、足首など、他の部位であってもよい。
【００６７】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００６８】
１  血圧計
１０  本体
２０  カフ
２０Ｅ  １周目の部分
２０Ｆ  ２周目の部分
６０  光透過窓
６０ａ  透明材料層
【図１】
2018007893.tif 000003
【図２】
2018007893.tif 000004
【図３】
2018007893.tif 000005
【図４】
2018007893.tif 000006
【図５】
2018007893.tif 000007
【図６】
2018007893.tif 000008
【図７】
2018007893.tif 000009